(57)【要約】【課題】  子機に対して使用の制限を設定することができる情報処理装置、テレビシステム及びプログラムを提供する。【解決手段】  親機を構成する情報処理装置には、入力された信号を処理して映像データ及び音声データを生成する少なくとも１個のデータ処理手段と、前記映像データ及び前記音声データを子機等に出力する出力手段と、前記出力手段による前記映像データ及び前記音声データの出力を予め設定された条件に応じて制限する制限手段と、が設けられている。【選択図】  図１
2005117184.tif 000002
【特許請求の範囲】
【請求項１】
入力された信号を処理して映像データ及び音声データを生成する少なくとも１個のデータ処理手段と、
前記映像データ及び前記音声データを出力する出力手段と、
前記出力手段による前記映像データ及び前記音声データの出力を予め設定された条件に応じて制限する制限手段と、
を有することを特徴とする情報処理装置。
【請求項２】
前記出力手段に対して、前記制限手段による制限を受けている時に固定された固定信号を供給する固定信号供給手段を有し、
前記制限手段は、前記出力手段による出力を制限する時に前記出力手段に前記固定信号に基づくデータを出力させることを特徴とする請求項１に記載の情報処理装置。
【請求項３】
前記出力手段は、無線方式で前記映像データ及び前記音声データを出力するものであることを特徴とする請求項１又は２に記載の情報処理装置。
【請求項４】
前記データ処理手段により生成された前記映像データ及び前記音声データが有線方式で入力される表示器が接続可能であることを特徴とする請求項１乃至３のいずれか１項に記載の情報処理装置。
【請求項５】
前記制限手段は、設定された時間内で、前記出力手段による前記映像データ及び前記音声データの出力を制限する出力時間制限手段を有することを特徴とする請求項１乃至４のいずれか１項に記載の情報処理装置。
【請求項６】
前記制限手段は、設定された年齢情報と入力された年齢情報に基づいて、前記出力手段による前記映像データ及び前記音声データの出力を制限する年齢制限手段を有することを特徴とする請求項１乃至５のいずれか１項に記載の情報処理装置。
【請求項７】
前記制限手段は、出力の制限が設定された番組のデータが入力された時に、前記出力手段による前記映像データ及び前記音声データの出力を制限する年齢制限手段を有することを特徴とする請求項１乃至６のいずれか１項に記載の情報処理装置。
【請求項８】
前記制限手段は、設定された最大音量に基づいて、前記出力手段による前記音声データの出力を制限する最大音量制限手段を有することを特徴とする請求項１乃至７のいずれか１項に記載の情報処理装置。
【請求項９】
前記制限手段は、前記出力手段に対する制限を設定された時間の間だけ無効にする制限無効手段を有することを特徴とする請求項１乃至８のいずれか１項に記載の情報処理装置。
【請求項１０】
請求項１乃至９のいずれか１項に記載の情報処理装置と、
前記出力手段から出力された前記映像データ及び前記音声データが入力される副情報処理装置と、
前記副情報処理装置で処理されて出力された前記映像データ及び前記音声データを再生する表示器と、
を有することを特徴とするテレビシステム。
【請求項１１】
入力された信号を処理して映像データ及び音声データを生成する少なくとも１個のデータ処理手段と、前記映像データ及び前記音声データを出力する出力手段と、記憶手段と、を有する情報処理装置の動作を制御する制御方法であって、
外部から設定された条件を前記記憶手段に記憶させる工程と、
前記記憶手段に記憶させた条件に基づいて、前記出力手段による前記映像データ及び前記音声データの出力を制限する工程と、
を有することを特徴とする制御方法。
【請求項１２】
入力された信号を処理して映像データ及び音声データを生成する少なくとも１個のデータ処理手段と、前記映像データ及び前記音声データを出力する出力手段と、記憶手段と、を有する情報処理装置の動作を制御するためのプログラムであって、コンピュータに、
外部から設定された条件を前記記憶手段に記憶させる処理と、
前記記憶手段に記憶させた条件に基づいて、前記出力手段による前記映像データ及び前記音声データの出力を制限する処理と、
を実行させることを特徴とするプログラム。
【発明の詳細な説明】
【技術分野】
【０００１】
本発明は、テレビ用の映像データの処理に好適な情報処理装置、テレビシステム、制御方法及びプログラムに関する。
【背景技術】
【０００２】
従来、下記特許文献１（特開平１０−３２２６７６号公報）の第２の実施例として記載されているように、チューナを共用化する親機及び子機を備えたテレビシステムにおいて、子機が親機から独立した操作で映像を表示することが可能となっている。
【０００３】
このようなテレビシステムでは、子機でも親機で視聴されている番組と同一番組を視聴することが可能である。また、一般的に親機には大型の表示器が設けられており、親機は家庭内のリビングルーム等の共有スペースに設置されていることが多い。また、子機については、親機と無線を介して通信可能となっていることが多く、無線が届く範囲内であればその設置場所は限定されない。
【０００４】
【特許文献１】特開平１０−３２２６７６号公報
【発明の開示】
【発明が解決しようとする課題】
【０００５】
しかしながら、子機の設置場所が自由であるために、子機を未成年者の部屋に設置した場合には、深夜遅くまでテレビに見入っていたり、保護者として未成年者には見せたくない番組を見ていたりしていても、それを認識できないという欠点がある。また、保護者が深夜等に番組を楽しもうとする場合に、リビングルームでは落ち着かず、ベットルーム等でじっくり楽しみたいこともある。
【０００６】
本発明は、かかる問題点に鑑みてなされたものであって、子機に対して使用の制限を設定することができる情報処理装置、テレビシステム、制御方法及びプログラムを提供することを目的とする。
【課題を解決するための手段】
【０００７】
本願発明者は、前記課題を解決すべく鋭意検討を重ねた結果、下記の態様に想到した。
【０００８】
本願の第１の発明に係る情報処理装置は、入力された信号を処理して映像データ及び音声データを生成する少なくとも１個のデータ処理手段と、前記映像データ及び前記音声データを出力する出力手段と、前記出力手段による前記映像データ及び前記音声データの出力を設定された条件に応じて制限する制限手段と、を有することを特徴とする。
【０００９】
本願の第２の発明に係るテレビシステムは、上記の情報処理装置と、前記出力手段から出力された前記映像データ及び前記音声データが入力される副情報処理装置と、前記副情報処理装置で処理されて出力された前記映像データ及び前記音声データを再生する表示器と、を有することを特徴とする。
【００１０】
本願の第４の発明に係る制御方法は、入力された信号を処理して映像データ及び音声データを生成する少なくとも１個のデータ処理手段と、前記映像データ及び前記音声データを出力する出力手段と、記憶手段と、を有する情報処理装置の動作を制御する制御方法であって、外部から設定された条件を前記記憶手段に記憶させる工程と、前記記憶手段に記憶させた条件に基づいて、前記出力手段による前記映像データ及び前記音声データの出力を制限する工程と、を有することを特徴とする。
【００１１】
本願の第４の発明に係るプログラムは、入力された信号を処理して映像データ及び音声データを生成する少なくとも１個のデータ処理手段と、前記映像データ及び前記音声データを出力する出力手段と、記憶手段と、を有する情報処理装置の動作を制御するためのプログラムであって、コンピュータに、外部から設定された条件を前記記憶手段に記憶させる処理と、前記記憶手段に記憶させた条件に基づいて、前記出力手段による前記映像データ及び前記音声データの出力を制限する処理と、を実行させることを特徴とする。
【発明の効果】
【００１２】
本発明によれば、出力手段による映像データ及び音声データの出力を制限手段によって制限することにより、子機等の出力先での好ましくない視聴を防止することができる。例えば、出力手段に対して時間制限を設定した場合には、子供等が深夜まで子機を構成するテレビに見入ったり、勉強すべき時間にテレビに夢中になったりすることを防止することができる。また、出力手段に対して年齢制限を設けた場合には、特に未成年者が青少年にふさわしくない番組を見ることを防止することができる。更に、視聴禁止番組を番組単位で設定した場合には、特に親が子供に見せたくない番組を子機にて見ることを防止することができる。この場合、禁止番組をEvent IDに基づいて管理すれば、Event IDが変更されない限り有効であり、その番組の放送がある度に設定する必要はない。また、子機の最大音量に制限を加えた場合には、特に子供が深夜等に大音量の騒音によって他人に迷惑をかけることを防止することもできる。そして、これらの設定をパスワードによって保護する場合には、パスワードを知らなければ設定の変更は不可能であるため、設定を保護することができる。
【発明を実施するための最良の形態】
【００１３】
以下、本発明の実施形態について、添付の図面を参照して具体的に説明する。
【００１４】
（第１の実施形態）
先ず、本発明の第１の実施形態に係るテレビシステムについて説明する。このテレビシステムには、１台の親機と１台の子機とが設けられているが、子機の台数は特に限定されるものではない。図１は、本発明の第１の実施形態に係るテレビシステムの構成を示すブロック図である。
【００１５】
第１の実施形態における親機７０には、プログラムに従い親機７０全体を制御するＣＰＵ６０、プログラムが納められたプログラムＲＯＭ５７、及びＣＰＵ６０と各部を結ぶ共通バス５３が設けられている。共通バス５３にはＣＰＵ６０及びプログラムＲＯＭ５７の他に、ＩＣカード制御部５２、リモコンインタフェース５５、ＲＡＭ５６、タイマ５８、不揮発性メモリ５９及びＯＳＤ作成部６１が接続されている。
【００１６】
ＯＳＤ作成部６１は、ＣＰＵ６０からの指示により表示器１１に表示する任意の文字又は図形の映像データを作成する。本実施形態では、その映像データをＯＳＤ信号８３とする。親機７０を使用するに当たっては、ユーザの契約情報及びトランスポートストリームデータに含まれるデスクランブルのための鍵情報を解くための鍵情報が格納されているＩＣカードが必要とされ、ＩＣカード制御部５２は、このＩＣカードに格納されている情報を読み取り、共通バス５３に伝達する。リモコンインタフェース５５は、ユーザの意志をＣＰＵ６０に伝えるリモコン５４の赤外線コードを受光する。ＲＡＭ５６は、ＣＰＵ６０のワークメモリである。不揮発性メモリ５９は、親機の電源が切られても、保存しておく必要がある設定用のパスワード等の設定情報を記憶する。タイマ５８は、デジタル放送受信中には、トランスポートストリームデータ中の時間情報を後述のデマルチプレクサ５又は１５から受け取り正確な時間の補正を行い、受信中でないときには、内部タイマを動かして、常に時間の管理を行う。
【００１７】
また、本実施形態では、放送はＤＶＢ（Digital Video Broadcasting）のデジタル放送システムの規格、映像はＩＳＯ／ＩＥＣ  ６１８１８−２のＭＰＥＧ２規格、音声はＩＳＯ／ＩＥＣ  ６１８１８−３のＭＰＥＧ２規格に夫々従って送信されてくるものとする。
【００１８】
そして、本実施形態には、デジタル放送波を受信するアンテナ１が設けられ、親機７０内には、受信した放送波の中からＣＰＵ６０の指示に従って所望の周波数を選択するデジタルチューナ２及び１２が設けられている。デジタルチューナ２又は１２からの出力された信号は、夫々復調及びエラー訂正回路３、１３によって復調及びエラー訂正が行われた後、トランスポートストリームとして出力される。
【００１９】
デスクランブラ４及び１４は、視聴制限のためのスクランブラがかけられているトランスポートストリームデータが入力された場合、トランスストリームデータ中に含まれるデスクランブラの鍵情報及びＩＣカード制御部５２からの鍵情報に基づいてスクランブルを解除する。そして、スクランブルが解除された信号は、夫々デマルチプレクサ５、１５に受け渡される。デマルチプレクサ５及び１５は、多重化されているストリームからＣＰＵ６０の指定するＰＩＤ（Packet IDentifier）を持つストリームを選択し、映像ストリームを映像デコーダ６、１６に受け渡し、音声ストリームを音声デコーダ７、１７に受け渡す。
【００２０】
映像デコーダ６及び１６は、映像ストリームを非圧縮の映像データにデコードすることにより、放送映像のデータが得られる。その後、解像度変換部８及び１８が、映像データをＣＰＵ６０の指定する解像度に適したものに変換することにより、夫々映像信号８１及び８２の映像データが得られる。
【００２１】
一方、音声データについては、音声デコーダ７及び１７が音声ストリームを非圧縮の音声データにデコードすることにより、夫々音声信号８５及び８６の音声データが得られる。
【００２２】
また、デマルチプレクサ５及び１５はトランスポートストリームに含まれるＳＩ（System Information）情報とよばれる時間及び番組内容等の情報をも選択し、共通バス５３を介してＣＰＵ６０に出力する。
【００２３】
ここで、デジタルチューナ２から解像度変換８及び音声デコーダ７までの映像信号及び音声信号を取り出す部分から映音取り出し部９が構成され、デジタルチューナ１２から解像度変換１８及び音声デコーダ１７までの映像信号及び音声信号を取り出す部分から映音取り出し部１９が構成されている。映音取り出し部９及び１９は、ＣＰＵ６０の指示により互いに独立して機能することが可能であり、別々のチャネルを受信して夫々の映像及び音声信号を出力することができる。
【００２４】
合成器１０は、任意の解像度に適した映像信号８１又は８２とＯＳＤ信号８３とを、ＣＰＵ６０の指示に基づく任意の組み合わせにより合成し、表示器１１が合成された映像データを映像化してその画面に表示する。また、ＣＰＵ６０からの指示によりスイッチ２６が切り替えられ、音声信号８５又は８６がアンプ２７によって増幅された後、スピーカ２８から音声が出力される。
【００２５】
また、親機７０には、ＣＰＵ６０の指示により制御される映像信号切り替えスイッチ２０が設けられており、子機７１に伝送する映像信号を、映像信号８１及び８２並びにＯＳＤ信号８３の中から選択することができる。選択された映像信号（映像データ）は、映像送信部３３を介して子機７１に送信される。
【００２６】
親機７０には、更に、ＣＰＵ６０の指示により制御される音声信号切り替えスイッチ３０が設けられており、子機７１に伝送する音声信号を、音声信号８５及び８６並びに無音声の信号の中から選択することができる。更に、音量調整部３１が、ＣＰＵ６０の制御に基づいて音声信号に対して音量の上限を設定する。そして、音量調整部３１から出力された音声信号（音声データ）は、音声送信部３６を介して子機７１に送信される。
【００２７】
子機７１では、映像受信部３４が親機７０から送信された映像信号を受信した後、表示器３５が映像信号を映像化してその画面に表示する。また、音声受信部３７が音声信号を受信した後、アンプ３８が音声信号を増幅し、スピーカ３９から音声が出力される。更に、子機７１に設けられたキー４０のコードデータは、キー４０が押されるとキー送信部４２を介して親機７０のキー受信部４３に送信される。キー受信部４３はコードデータを受信すると、それをＣＰＵ６０に受け渡し、ＣＰＵ６０がその内容を解釈する。
【００２８】
なお、親機７０と子機７１との間の信号の伝送は有線又は無線のいずれを介していてもよい。
【００２９】
図２は、親機７０に付属するリモコン５４の構成を示す図である。リモコン５４には、赤外線発光部１０１及びキー１０２〜１３３が設けられており、キー１０２〜１３３のいずれかが押されると、それに対応したコードが赤外線信号に変換され、赤外線発光部１０１から発光される。
【００３０】
例えば、メニューキー１１０が押されると、それに対応した赤外線信号が赤外線発光部１０１から発光され、この赤外線信号をリモコンＩ／Ｆ５５が受光する。そして、赤外線信号が電気信号に変換された後、共通バス５３を介してＣＰＵ６０に伝達される。その後、ＣＰＵ６０の指示によってＯＳＤ作成部６１が予め決められたメニュー画面２０１（図５参照）を作成する。次いで、合成器１０がＯＳＤ信号８３と映像信号８１又は８２とを合成して表示器１１がメニュー画面２０１を含む映像を表示する。
【００３１】
また、番組表キー１１１が押されると、同様の処理により、ＯＳＤ作成部６１により作成された電子番組表（ＥＰＧ）が表示器１１に表示される。
【００３２】
「１」〜「９」の数字が付された９個のキーと「１０／０」が付された１個のキー１２１からチャネルダイレクトキー群１２０が構成されている。チャネルダイレクトキー群１２０を構成する１０個のキーのいずれかが押されると、そのキーに対応したチャンネルが直接選択され、そのチャンネルで放送されている映像が表示器１１に表示される。また、キー１２１のみは、後述する各種設定の際には、テンキーの「０」として働く。
【００３３】
また、チャネルのｄｏｗｎキー１３０が押されると、その度にチャネルが降順に遷移し、チャネルのｕｐキー１３１が押されると、その度にチャネルが昇順に遷移する。更に、音量ｄｏｗｎキー１３２が押されると、その度に音量が下がり、音量ｕｐキー１３３が押されると、その度に音量が上がる。
【００３４】
更に、リモコン５４には、青キー１３６、赤キー１３７、緑キー１３８及び黄キー１３９からなるカラーキー１３５、電源キー１０２及び戻りキー１１２が設けられている。
【００３５】
図３は、子機７１を正面から見たときの外観を示す図である。子機７１の正面側には、表示器３５、スピーカ３９及びキー４０２〜４３３から構成されたキー群４０が配置されている。更に、電源キー４０２、決定キー４０３、右カーソルキー４０４、下カーソルキー４０５、左カーソルキー４０６、上カーソルキー４０７及び戻りキー４１１も設けられている。
【００３６】
番組表キー４２２が押されると、子機７１は電子番組表（ＥＰＧ）を親機７０に要求し、親機７０から送信されてきた電子番組表（ＥＰＧ）を表示器３５が表示する。
【００３７】
また、チャネルのｄｏｗｎキー４３０が押されると、その度にチャネルが降順に遷移し、チャネルのｕｐキー４３１が押されると、その度にチャネルが昇順に遷移する。更に、音量ｄｏｗｎキー４３２が押されると、その度に音量が下がり、音量ｕｐキー４３３が押されると、その度に音量が上がる。但し、最大音量の上限は、親機７０の音量調整部Ｂ３１で設定された音量である。
【００３８】
次に、上述のように構成された第１の実施形態に係るテレビシステムの動作について説明する。この説明では、先ず、テレビシステムへの種々の設定を行う方法について説明し、その次に、その設定に基づく動作について説明する。
【００３９】
図４乃至図７は、種々の設定画面を示す図である。テレビシステムに対して設定を行う場合、項目を選択する際には、リモコン５４の右カーソルキー１０４、下カーソルキー１０５、左カーソルキー１０６及び上カーソルキー１０７を使用して画面に表示されるカーソルを移動させる。カーソルのある項目は、例えばその欄が点滅することでカーソルの位置が判別可能とする。更に、いくつかの項目から一つを選択する際は、選択する欄にカーソルを移動させ、決定キー１０３を押すことで選択が確定し、同時にその欄の色が変化することで視覚的に確認できるものとする。例えば、図４及び図７では、選択が確定された欄の背景を灰色にしている。
【００４０】
数字の入力に当たっては、チャネルダイレクトキー群１２０をテンキーとして用い、このとき、前述のように、キー１２１を押すと、「０」が入力される。そして、例えばパスワード入力を入力するときには、チャネルダイレクトキー群１２０を用い、例えば４桁の０から９の数字を入力する。但し、パスワードの秘匿性を確保するために、入力した数字は画面に表示されず、入力された数字の個数と同じ個数の記号「＊」が表示される。
【００４１】
また、キャンセル欄が用意されている設定画面においては、キャンセル欄上で決定キー１０３が押されると、その設定画面での入力は全て無効となり、メニュー画面２０１に戻る。
【００４２】
なお、これらの子機に対する設定時の一連の動作は、例えばプログラムＲＯＭ５７に記憶されたプログラムに基づくものである。
【００４３】
次に、子機７１に関する設定を行う場合の操作及び動作について説明する。図８乃至図１０は、本発明の第１の実施形態に係るテレビシステムの動作を示すフローチャートである。ユーザが子機７１の設定をしようとする場合（ステップＳ３０１）、リモコン５４のメニューキー１１０を押すと、表示器１１にメニュー画面２０１が表示される（ステップＳ３０２）。メニュー画面２０１には、図５に示すように、各種設定メニュー２１２〜２１５が含まれており、いずれかの設定メニューの選択が決定されると、更に個別の設定画面が現れ、ユーザはその設定画面上で実際の設定を指定することができる。なお、これらの画面は、リモコン５４の指示に基づいてＣＰＵ６０が指令を出し、ＯＳＤ作成部６１が作成したものである。
【００４４】
ここで、本実施形態では、子機に関する設定にはパスワードの入力を必要としておき、このパスワードは予め設定されていてもよく、設定されていなくてもよい。但し、予め設定されていない場合には、子機に関する設定を行う前に、パスワードを設定しておく必要がある。
【００４５】
そして、図５に示すメニュー画面２０１が表示されている状態で、ユーザが新規パスワード設定するか、又はパスワードを変更しようとする場合には（ステップＳ３０３）、リモコン５４を操作することにより、メニュー画面２０１上でカーソルをパスワード設定欄２１２に合わせて決定キー１０３を押せばよい。この結果、図６に示すようなパスワード設定画面２０２が表示される（ステップＳ３０４）。なお、新規パスワード設定及びパスワード変更がいずれも不必要な場合には、子機管理の処理（ステップＳ３１８）へ進む。
【００４６】
パスワード設定画面２０２が表示されている状態で、パスワードを変更しようとする場合には、ステップＳ３０７へ進み、パスワードを変更するのではなく、新たにパスワードの登録をしようとする場合には、ステップＳ３０８へ進む（ステップＳ３０６）。
【００４７】
パスワードを変更する場合には、既に設定されているパスワード（旧パスワード）として、リモコン５４のチャネルダイレクトキー群１２０を用いて、旧パスワード入力欄２２１に４桁の０〜９の数字を入力する（ステップＳ３０７）。次に、カーソルを新パスワード入力欄２２２に移動させ（ステップＳ３０８）、新パスワードとして、リモコン５４のチャネルダイレクトキー群１２０を用いて、新パスワード入力欄２２２に４桁の数字を入力し、更に、カーソルを確認用新パスワード入力欄２２３に移動させて同じ数字列を入力する（ステップＳ３０９）。その後、カーソルを確認欄２２４に移動させて決定キー１０３を押す（ステップＳ３１１）。
【００４８】
決定キー１０３が押されると、入力された旧パスワードと不揮発性メモリ５９に記憶されているパスワードとが一致するかをＣＰＵ６０が判断し（ステップＳ３１２）、一致していればステップＳ３１３へ進み、一致していなければステップＳ３１４へ進む。
【００４９】
そして、ステップＳ３１４では、パスワード設定画面２０２内に、例えば「入力された旧パスワードが、登録されているパスワードと一致しないのでもう一度入力し直してください」という案内を表示し（ステップＳ３１４）、ステップＳ３０７へ戻ることで、もう一度旧パスワードを入力し直すことを促す。
【００５０】
一方、ステップＳ３１３では、入力された新パスワードと確認用新パスワードとが一致するかをＣＰＵ６０が判断し、一致していればステップＳ３１７へ進み、一致していなければステップＳ３１６へ進む。
【００５１】
ステップＳ３１６では、パスワード設定画面２０２内に、例えば「新パスワードが確認用新パスワードと一致しないので、もう一度入力し直してください」という案内を表示し（ステップＳ３１６）、ステップＳ３０８へ戻ることで、もう一度新パスワードを入力し直すことを促す。
【００５２】
一方、ステップＳ３１７では、入力された新パスワードの正当性が確認されているため、新パスワードを不揮発性メモリ５９に書き込み、メニュー画面２０１を表示する。
【００５３】
なお、パスワードの変更を行うのではなく、最初のパスワードの登録を行う場合には、ステップＳ３０８〜ステップＳ３１７の処理を行うが、この場合には、不揮発性メモリ５９にパスワードが記憶されていないため、ステップ３１２では、強制的にパスワードが一致していると判断する。
【００５４】
パスワードの設定が終了した後や、パスワードの設定が行われない場合には、メニュー画面２０１が表示されており、この状態でカーソルを子機管理欄２１３に合わせて決定キー１０３を押すと、図４に示すような子機管理画面２０１が表示される（ステップＳ３１８）。
【００５５】
子機管理画面２０１では、最初に、例えば、設定されているパスワードとして、リモコン５４のチャネルダイレクトキー群１２０を用いて、パスワード入力欄２３１に４桁の０〜９の数字を入力する（ステップＳ３１９）。
【００５６】
次に、子機を使用してはいけない時間帯、即ちその子機でテレビ放送を見てはいけない時間帯を入力する。具体的には、リモコン５４のチャネルダイレクトキー群１２０を用いて、開始時間入力欄２３２及び終了時間入力欄２３３に、２４時間表示で１時間単位の数字を入力する（ステップＳ３２１）。
【００５７】
次に、年齢制限がある番組が選局されても、番組で許容された年齢未満の未成年者が視聴できないようにするために、制限を課すべき適切な年齢、例えばその子機を主に用いる未成年者の実年齢を、年齢欄２３４にチャネルダイレクトキー群１２０を用いて入力する（ステップＳ３２２）。なお、入力する年齢は、例えば４歳から２０歳までの年齢とし、特に制限する必要がない場合には、「０」を入力する。
【００５８】
次いで、子機の使用者が視聴してはならない番組があるときは「あり」欄２３６にカーソルを移動させ、視聴してはならない番組がないときは「無し」欄２３５にカーソルを移動させ、いずれかの欄で決定キー１０３を押す（ステップＳ３２３）。この結果、決定された方の欄の色が濃くなり、どちらが選択されたかがユーザに認識されるようになる。
【００５９】
続いて、カーソルを移動させ、子機の最大音量を「小」欄２３７、「中」欄２３８、「大」欄２３９から選択して、決定キー１０３を押す（ステップＳ３２４）。
【００６０】
そして、子機管理画面２０３での全ての設定が終わったら、カーソルを確認欄２４１に合わせて決定キー１０３を押す（ステップＳ３２６）。
【００６１】
なお、パスワードの入力（ステップＳ３１９）から最大音量の選択（ステップ３２４）までの順番は任意であり、上記の順に限定されない。
【００６２】
確認欄２４１にカーソルがある状態で決定キー１０３が押されると、ステップ３１９で入力されたパスワードと不揮発性メモリ５９に記憶されているパスワードとが一致するかをＣＰＵ６０が判断し（ステップＳ３２７）、一致していればステップＳ３２９へ進み、一致していなければステップＳ３２８へ進む。
【００６３】
そして、ステップ３２８では、子機管理画面２０３内に、例えば「入力されたパスワードが、登録されているパスワードと一致しないのでもう一度入力し直してください」という案内を表示し（ステップＳ３２８）、ステップＳ３１９へ戻ることでもう一度パスワードを入力し直すことを促す。
【００６４】
一方、ステップＳ３２９では、パスワードが一致しているため、設定を有効にし、更に、視聴してはならない番組が、ステップＳ３２３で設定されているかをＣＰＵ６０が判断し、視聴してはならない番組がある場合にはステップＳ３３１へ進み、ない場合にはステップＳ３３４へ進む。
【００６５】
ステップＳ３３１では、図７に示すように、視聴禁止番組表２０４を表示器１１に表示する。この視聴禁止番組表２０４は、ＣＰＵ６０がデマルチプレクサ４又は１４からの番組情報に基づいて時間帯及び番組名を含む表を作成し、この表の内容をＯＳＤ作成部６１に映像データ化するように指令して表示される。
【００６６】
視聴禁止番組表２０４は、例えば縦方向に時間帯２６３、横方向にチャネル名２６２が配列した番組一覧の番組表であり、表示器１１に表示される。例えば、縦方向には３時間分、横方向には３チャネル分が表示される。従って、現在の時刻が７時２０分であるとすると、７時台から９時台が表示される。また、視聴禁止番組表２０４には、目的に応じて押すべきボタンを使用者に知らせるボタン操作ガイド２６１を含ませておく。
【００６７】
視聴禁止番組表２０４が表示されている状態で、リモコン５４のカーソル１０４〜１０７を使って、禁止したい番組が示されている欄にカーソルを合わせて決定キー１０３を押すと、その番組の視聴が禁止される。そして、指定された番組欄２６４の背景の色は濃く変化し、どの番組が指定されたか分かるようになっている。また、複数の番組を指定することも可能になっており、視聴を禁止しようとする番組を次々に指定することができる（ステップＳ３３２）。
【００６８】
そして、使用者による全ての選択が終了して、ボタン操作ガイド２６１の内容にあわせてカラーキー１３５の中から青キー１３６が押されると、設定が終了し、ステップＳ３２１、Ｓ３２２、Ｓ３２４及びＳ３３２で指定された設定を不揮発性メモリ５９に書き込み（ステップＳ３３４）、全ての処理が終了する（ステップＳ３３５）。
【００６９】
次に、上述のようにして設定された項目に関する動作について説明する。
【００７０】
（視聴してはならない時間の設定）
先ず、ステップＳ３２１で設定された視聴してはならない時間帯の動作について説明する。
【００７１】
タイマ５８は時刻及び時間の管理を行っており、ＣＰＵ６０はタイマ５８を見ることで常に時刻を知ることができる。そして、ＣＰＵ６０は、ステップＳ３２１で設定した開始時刻になると、映像信号切り替えスイッチ２０をＯＳＤ信号８３に切り替えると共に、音声信号切り替えスイッチ３０を音声のない状態に切り替えることにより、親機７０から子機７１へ放送映像データ及び音声データが伝送されないようにする。このとき、ＣＰＵ６０は、ＯＳＤ作成部６１に、例えば「視聴してはならない時間になったので電源をお切りください」という案内を作成させ、この案内を子機７１の表示器３５に表示させることにより、子機は設定した終了時間まで放送映像を表示できないことを知らせる。
【００７２】
その後、ステップＳ３２１で設定した終了時刻になると、ＣＰＵ６０は、映像信号切り替えスイッチ２０を映像信号８１又は８２に切り替えると共に、音声信号切り替えスイッチ３０を音声信号８５又は８６に切り替えることにより、親機７０から子機７１への放送映像データ及び音声データの伝送を再開する。
【００７３】
（年齢制限のある番組の設定）
次に、ステップＳ３２２で設定された年齢制限のある番組が放送されているときの動作について説明する。
【００７４】
放送されてくる番組情報ＥＩＴ（Event Information Table）中に年齢制限情報であるparental_ratingが０ｘ０１から０ｘ１１（＝１７ｄ）の値で示されている番組がある。この値を１０進数に換算し、３を足した値である４から２０はパレンタルレベルとよばれる。このパレンタルレベルは、番組中に過激な性描写や暴力シーン等の青少年にふさわしくない場面が含まれているときに、その値と等しい年齢未満の未成年者が視聴するのは適当でないことを示す指標である。
【００７５】
そして、ＣＰＵ６０は、子機７１から伝送の要求があった番組中に年齢制限情報（パレンタルレベル）が含まれている場合に、パレンタルレベルとステップＳ３２２で設定された値とを比較して、パレンタルレベルが設定値よりも大きい場合には、子機での視聴を禁止するために、映像信号切り替えスイッチ２０をＯＳＤ信号８３に切り替え、音声信号切り替えスイッチ３０を音声のない状態に切り替えることにより、親機７０から子機７１へ放送映像データ及び音声データが伝送されないようにする。このとき、ＣＰＵ６０は、ＯＳＤ作成部６１に、例えば「視聴するのがふさわしくない番組なのでチャンネルを代えてください」という案内を作成させ、この案内を子機７１の表示器３５に表示させることにより、視聴が不適切な番組であることを子機のユーザに知らせる。
【００７６】
一方、パレンタルレベルが設定値以下である場合及びＥＩＴ中に年齢制限情報が含まれていない場合には、このようなスイッチの切り替えは行わず、年齢による視聴制限は行わない。
【００７７】
（視聴してはならない番組の設定）
次に、視聴してはならない番組が放送されているときの動作について説明する。
【００７８】
ＣＰＵ６０は視聴している番組のEvent IDをＥＩＴから取得している。そして、ＣＰＵ６０は、子機７１から伝送の要求があった番組のEvent IDとステップＳ３３２で指定された禁止番組のEvent IDとを比較して、これらが一致している場合には、子機での視聴を禁止するために、映像信号切り替えスイッチ２０をＯＳＤ信号８３に切り替えると共に、音声信号切り替えスイッチ３０を音声のない状態に切り替えることにより、親機７０から子機７１へ放送映像データ及び音声データが伝送されないようにする。このとき、ＣＰＵ６０は、ＯＳＤ作成部６１に、例えば「視聴するのがふさわしくない番組なのでチャンネルを代えてください」という案内を作成させ、この案内を子機７１の表示器３５に表示させることにより、視聴が不適切な番組であることを子機のユーザに知らせる。
【００７９】
（最大音量の設定）
ＣＰＵ６０は、ステップＳ３２４での選択に基づいて、音量調整部３１を制御することにより、子機の最大音量を制限する。この結果、子機７１の音量ｕｐキー４３３を何回押しても、指定された音量以上には上がらないようになる。
【００８０】
以上の設定により、子機７１はこれらの制限を課された上での視聴が可能となる。設定は不揮発性メモリ５９に記憶されているので電源を切っても保護され、制限は子機管理メニューで設定が変更されるまで有効でなる。
【００８１】
次に、本発明の第２の実施形態について説明する。第２の実施形態では、子機の制限を一定時間だけ無効にできるプログラムをプログラムＲＯＭ５７に記憶させた構成としている。ここでは、そのプログラムの内容の説明として、第１の実施形態と同様に、子機７１に関する設定を行う場合の操作及び動作について説明する。図１２乃至図１３は、本発明の第２の実施形態に係るテレビシステムの動作を示すフローチャートである。なお、図１２のステップＳ３４１以前の処理は、図８に示す処理と同一であるため、その説明は省略する。また、図１２乃至図１３中に示す処理についても、第１の実施形態と同様の処理についての処理は省略する。
【００８２】
本実施形態では、パスワードの設定が終了した後や、パスワードの設定が行われない場合には、メニュー画面２０１が表示されており、この状態でカーソルを子機管理欄２１３に合わせて決定キー１０３を押すと、図１１に示すような子機管理画面２０５が表示される（ステップＳ３４１）。
【００８３】
そして、パスワードの入力（ステップＳ３１９）から最大音量の選択（ステップＳ３２４）が終わった後に、子機管理画面２０５上で設定した子機の制限を２４時間だけ無効にするときは「する」欄２５１にカーソルを移動させ、無効にしないときは「しない」欄２５２に移動させ、いずれかの欄で決定キー１０３を押す（ステップＳ３４２）。
【００８４】
その後、ステップ３３４での不揮発性メモリ３３４への書き込みまでの処理を行う。続いて、ステップＳ３４１で２４時間だけ制限を無効に「する」旨の指定がある場合には、ステップＳ３４４へ進み、無効に「しない」旨の指定がある場合にはステップＳ３３５へ進み、全ての処理が終了する（ステップＳ３４３）。
【００８５】
ステップＳ３４４では、タイマ５８を動作させて、２４時間だけ、ステップＳ３２１、Ｓ３２２、Ｓ３２４及びＳ３３２で指定した設定を解除する（ステップＳ３４４）。つまり、この設定から２４時間経過するまでは、子機７１における「視聴してはならない時間」、「年齢制限のある番組」、「視聴してはならない番組」及び「最大音量」に関する制限がなくなる。そして、２４時間経過すると、これらの制限は自動的に有効になる。また、２４時間無効にする設定を「しない」に指定している場合には、ステップＳ３３４で設定が不揮発性メモリ５９に書き込まれた時点でこれらの制限は直ちに有効となる。
【００８６】
このような第２の実施形態によれば、保護者が子機によりベットルーム等で番組を楽しみたいとき、一時的に制限を外すことが可能にすることができる。更に、この制限の無効状態には期限が付されているため、制限を無効にしたままでも、所定の時間が経過すると、自動的に制限が有効となるため、操作のし忘れを防止できるという効果もある。
【図面の簡単な説明】
【００８７】
【図１】本発明の第１の実施形態に係るテレビシステムの構成を示すブロック図である。
【図２】親機７０に付属するリモコン５４の構成を示す図である。
【図３】子機７１を正面から見たときの外観を示す図である。
【図４】子機管理画面２０３を示す図である。
【図５】メニュー画面２０１を示す図である。
【図６】パスワード設定画面２０２を示す図である。
【図７】視聴禁止番組表２０４を示す図である。
【図８】本発明の第１の実施形態に係るテレビシステムの動作を示すフローチャートである。
【図９】図８に引き続き、本発明の第１の実施形態に係るテレビシステムの動作を示すフローチャートである。
【図１０】図９に引き続き、本発明の第１の実施形態に係るテレビシステムの動作を示すフローチャートである。
【図１１】子機管理画面２０５を示す図である。
【図１２】本発明の第２の実施形態に係るテレビシステムの動作を示すフローチャートである。
【図１３】図１２に引き続き、本発明の第２の実施形態に係るテレビシステムの動作を示すフローチャートである。
【符号の説明】
【００８８】
２０：映像信号切り替えスイッチ
３０：音声信号切り替えスイッチ
６０：ＣＰＵ
７０：親機
７１：子機
２０１：メニュー画面
２０２：パスワード設定画面
２０３、２０５：子機管理画面
２０４：視聴禁止番組表
【図１】
2005117184.tif 000003
【図２】
2005117184.tif 000004
【図３】
2005117184.tif 000005
【図４】
2005117184.tif 000006
【図５】
2005117184.tif 000007
【図６】
2005117184.tif 000008
【図７】
2005117184.tif 000009
【図８】
2005117184.tif 000010
【図９】
2005117184.tif 000011
【図１０】
2005117184.tif 000012
【図１１】
2005117184.tif 000013
【図１２】
2005117184.tif 000014
【図１３】
2005117184.tif 000015